(57)【要約】【課題】可動体である複数の羽根部材の動作停止時に加わる慣性力の影響を抑え、移動動作させた該羽根部材の停止時の姿勢や位置等を安定し得るように構成した遊技機を提供する。【解決手段】パチンコ機１が備える演出装置３３が、駆動モータ９９をはじめとした駆動部により、羽根部材５４ａ〜５４ｃ及び羽根部材５４ｄ〜５４ｆにおける開閉方向の最も外側に位置したそれぞれの羽根部材５４ｃ，５４ｆを移動駆動することにより、羽根部材５４ａ〜５４ｃ及び羽根部材５４ｄ〜５４ｆをそれぞれ、閉止する際には一体となった状態で移動させ、開放する際には上記各羽根部材の間に隙間が生じ得るように移動させることで、停止位置が正確に位置決めされるものとする。【選択図】図６
2008228910.tif 000002
【特許請求の範囲】
【請求項１】
演出装置を有するセンター役物を遊技領域に備え、該遊技領域に遊技球を打ち出して遊技してなる遊技機において、
前記演出装置は、前記センター役物の前側に向けて配置される装飾演出部と、該装飾演出部の前側にて開閉自在に配置される被覆部と、該被覆部を開閉方向に移動する駆動部と、を有し、
前記被覆部は、前記装飾演出部の前側で互に逆方向に移動することで該装飾演出部を露出又は遮蔽させる所定数ずつの第１群及び第２群からなる板状の羽根部材を有し、
前記羽根部材は、開閉方向に沿って前記第１群及び前記第２群ごとで整列され、
前記駆動部は、前記第１群及び前記第２群からなる羽根部材における開閉方向の最も外側に位置したそれぞれの羽根部材を移動することにより、該第１群及び該第２群からなる羽根部材をそれぞれ、閉止する際には一体となった状態で移動し、開放する際には各羽根部材の間に隙間が生じ得るように移動してなる、
ことを特徴とする遊技機。
【請求項２】
前記装飾演出部は、前面側に半球形状のレンズ部材を有し、該レンズ部材を通して前記センター役物の前側に向けて光を発する発光部であり、
前記羽根部材は、前記発光部の前記レンズ部材を覆う湾曲状に形成され、且つ前記駆動部によって該レンズ部材の表面に沿うように移動されてなる、
請求項１に記載の遊技機。
【発明の詳細な説明】
【技術分野】
【０００１】
本発明は、パチンコ機等の遊技機に係り、詳しくは、遊技領域にセンター飾り等のセンター役物を備え、該センター役物に可動体を有した遊技機に関する。
【背景技術】
【０００２】
一般に、遊技機として、パチンコ機やスロットマシン等が知られているが、例えば、スロットマシンの中には、液晶等の画像表示装置の前面に障子を模したシャッター状の可動体を配設し、該可動体を左右方向に摺動するように開閉動作させることで該画像表示装置を遮蔽又は露出するように演出動作するものが知られている（特許文献１参照）。なお、このようなシャッター状の可動体は上記したスロットマシンだけでなくパチンコ機にも見受けられ、該パチンコ機においてはその遊技領域中に配設されたセンター飾りに搭載したものがある。
【０００３】
【特許文献１】特開２００６−１５８７１０号公報
【発明の開示】
【発明が解決しようとする課題】
【０００４】
ところで、特許文献１に記載されたシャッター状の可動体、即ちレール等の案内部材に沿って移動動作するような可動体は、該案内部材の端部で可動体の移動を規制することでその移動範囲を設定している。このような可動体を、案内部材の端部ではなくその中途の位置で移動又は停止させるには、例えば駆動用のステッピングモータのステップ数（パルス数）によってその移動又は停止位置を制御するような方法が考えられる。しかし、このように可動体を案内部材の中途の位置で停止動作させる場合、該可動体に働く慣性力等によっては所定の位置からずれる虞がある。
【０００５】
また、本発明者により、単体ではなく、例えば列車のように複数連結した態様の可動体が考えられている（未公開）。このような複数連結した態様の可動体にあっては、該可動体が移動状態から停止状態へと移行する際に生じる慣性力は、単体のものに比して一層大きなものになることが考えられる。
【０００６】
そこで本発明は、可動体である複数の羽根部材の動作停止時に加わる慣性力の影響を抑え、移動動作させた該羽根部材の停止時の姿勢や位置等を安定し得るように構成し、もって上述した課題を解決した遊技機を提供することを目的とするものである。
【課題を解決するための手段】
【０００７】
請求項１に係る本発明は（例えば図１ないし図２１参照）、演出装置（３３）を有するセンター役物（２３）を遊技領域（３ａ）に備え、該遊技領域（３ａ）に遊技球を打ち出して遊技してなる遊技機（１）において、
前記演出装置（３３）は、前記センター役物（２３）の前側に向けて配置される装飾演出部（１２５）と、該装飾演出部（１２５）の前側にて開閉自在に配置される被覆部（５４）と、該被覆部（５４）を開閉方向に移動する駆動部（９９，９３，９７）と、を有し、
前記被覆部（５４）は、前記装飾演出部（１２５）の前側で互に逆方向に移動することで該装飾演出部（１２５）を露出又は遮蔽させる所定数ずつの第１群及び第２群からなる板状の羽根部材（５４ａ〜５４ｃ、５４ｄ〜５４ｆ）を有し、
前記羽根部材（５４ａ〜５４ｃ、５４ｄ〜５４ｆ）は、開閉方向に沿って前記第１群及び前記第２群ごとで整列され、
前記駆動部（９９，９３，９７）は、前記第１群及び前記第２群からなる羽根部材（５４ａ〜５４ｃ、５４ｄ〜５４ｆ）における開閉方向の最も外側に位置したそれぞれの羽根部材（５４ｃ，５４ｆ）を移動することにより、該第１群及び該第２群からなる羽根部材（５４ａ〜５４ｃ、５４ｄ〜５４ｆ）をそれぞれ、閉止する際には一体となった状態で移動し、開放する際には各羽根部材（５４ａ〜５４ｃ、５４ｄ〜５４ｆ）の間に隙間（Ｇ）が生じ得るように移動してなる、
ことを特徴とする遊技機（１）にある。
【０００８】
請求項２に係る本発明は（例えば図１、及び図５〜図１８参照）、前記装飾演出部は、前面側に半球形状のレンズ部材（５５）を有し、該レンズ部材（５５）を通して前記センター役物（２３）の前側に向けて光を発する発光部（１２５）であり、
前記羽根部材（５４ａ〜５４ｃ、５４ｄ〜５４ｆ）は、前記発光部（１２５）の前記レンズ部材（５５）を覆う湾曲状に形成され、且つ前記駆動部（９９，９３，９７）によって該レンズ部材（５５）の表面に沿うように移動されてなる、
請求項１記載の遊技機（１）にある。
【０００９】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１０】
請求項１に係る本発明によると、遊技機が備える演出装置は、駆動部により、第１群及び第２群からなる羽根部材における開閉方向の最も外側に位置したそれぞれの羽根部材を移動することにより、該第１群及び該第２群からなる羽根部材をそれぞれ、閉止する際には一体となった状態で移動し、開放する際には各羽根部材の間に隙間が生じ得るように移動してなる。従って、本発明における第１群及び第２群からなる羽根部材は、各羽根部材の間に隙間を有し得る程度に伸縮可能な状態で連結されることとなる。ここで、仮に、本発明の構成とは逆に、第１群及び第２群からなる羽根部材の開閉方向の最も内側に位置するそれぞれの羽根部材を駆動部によって移動させる場合を考える。該駆動部が、上記羽根部材を移動して開放位置に停止させると、瞬間的に各羽根部材間に隙間が生じ、第１群及び第２群からなる羽根部材がそれぞれ慣性（惰性）方向に伸びることとなる。このとき、これら羽根部材が伸びた方向、つまり慣性方向の先に、例えば、他の演出に係る基板や駆動部等の各種部材が配置されていたとすると、上記伸びた羽根部材と上記各種部材とが当接し、互いの磨耗や損傷などを引き起こす要因となる。これに対して、本発明の構成にあっては、第１群及び第２群からなる羽根部材の、開閉方向の最も外側に位置するそれぞれの羽根部材を駆動部によって移動させるので、該羽根部材が開放された位置で停止されても、最も外側に位置する羽根部材が従動された他の羽根部材と当接することにより、該他の羽根部材が慣性方向に移動しようとする力が抑えられて、停止位置が正確に位置決めされるものとなる。
【００１１】
なお、上記した第１群及び第２群からなる羽根部材が、柔軟な材質で形成されている場合には、羽根部材自身に撓みが生じ易くなり、開閉移動した際の第１群及び第２群からなる羽根部材全体の移動方向への伸縮度合いは更に大きなものとなることから、このような条件の場合において本発明はより一層効果的となる。
【００１２】
また、第１群及び第２群からなる羽根部材は、駆動部により開閉移動される際、各羽根部材間に隙間を生じ得るので、遊技者に対して羽根部材の後側に配置された装飾演出部を微かに視認させてその気配を感じさせるなどの、微妙な演出を施すことができる。
【００１３】
また、被覆部は、第１群及び第２群からなる所定数ずつの羽根部材に分かれており、更に各羽根部材間には隙間を生じ得るような構成となっていることから、第１群及び第２群からなる羽根部材が閉止される際の動作に伴って互いに当接した場合にあっても、該当接に起因する応力が分散され易くなり、その衝撃が和らげられる。
【００１４】
請求項２に係る本発明によると、装飾演出部が、前面側に半球形状のレンズ部材を有し、該レンズ部材を通してセンター役物の前側に向けて光を発する発光部であり、羽根部材が、発光部のレンズ部材を覆う湾曲状に形成され、且つ駆動部によって該レンズ部材の表面に沿うように移動されてなるので、装飾演出部である発光部からの光を、第１群及び第２群からなる複数の羽根部材の間から見え隠れさせるような発光演出を遊技者に提供することができるものとなる。
【００１５】
また、第１群及び第２群からなる羽根部材が、レンズ部材の表面に沿うような曲線状に移動動作する態様であっても、該羽根部材が開放された位置にて停止された際に、最も外側に位置する羽根部材が従動された他の羽根部材と当接することにより、該他の羽根部材の慣性方向に移動しようとする力が抑えられ、停止位置が正確に位置決めされるものとなる。従って、発光部の背後、つまり第１群及び第２群からなる羽根部材の移動経路の延長上に、例えば通電用の基板が配設されたような構造であっても、それら羽根部材が開放された位置に移動した際に、各羽根部材の間が伸びて上記基板に接触することを防ぐことができる。
【発明を実施するための最良の形態】
【００１６】
以下、本発明に係る遊技機の実施形態として、遊技場等に設置されるパチンコ機を図面に沿って説明する。なお、後述する各実施の形態では、本発明の遊技機を所謂１種１種のパチンコ機として述べるが、本発明はこれに限らず、他の種別のパチンコ機にも適用可能であることは勿論である。なお、図１は、本発明の実施形態におけるパチンコ機１の外部構造を示す正面図である。
【００１７】
本パチンコ機１は、図１に示すように、発射ハンドル２の操作で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１８】
図１に示すように、本実施形態におけるパチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方にはスピーカー（図示せず）を有する放音装置１２がそれぞれ配設されている。また、ガラス枠１０における右側部には、前扉７を筐体６側に施錠し解放するための施錠装置１３が配設されている。なお、筐体６及び前扉７等から遊技機本体が構成される。
【００１９】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２０】
また、皿ユニット１６の右部には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。
【００２１】
遊技領域３ａの中央部には、該遊技領域３ａに打ち出された遊技球の一部を導入するワープ導入口３７を有するセンター飾り（センター役物）２３が配設されている。このセンター飾り２３の中央部分には開口部４４が形成され、かつ該開口部４４の上部中央には演出装置３３が配置され、該開口部４４の下部にはステージＳが配置されている。遊技盤３には画像表示装置３５が、開口部４４から画面３５ａを露出させた状態で遊技盤裏面から装着されている。センター飾り２３の下部左には、大当たり抽選（即ち、特別遊技状態の抽選）に寄与しない一般の入賞が行われる一般入賞口２５ａ，２５ｂ，２５ｃが配設されており、センター飾り２３の下方には、第１及び第２始動チャッカー２７，２８と、アタッカー５とが順次配設されている。
【００２２】
第１及び第２始動チャッカー２７，２８は、大当たり抽選実行の契機となり得る入賞が行われるものであり、第２始動チャッカー２８は、始動チャッカー開閉ソレノイド７０（図２０参照）によって開放位置と閉止位置とに開閉動作するように作動させられる。第１始動チャッカー２７の直上方には、所謂命釘としての一対の障害釘３０が打ち込まれている。第２始動チャッカー２８は、直上方に配置された第１始動チャッカー２７の底部により、図１に示す閉塞状態では遊技球を入賞しないように構成されている。
【００２３】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２４】
遊技領域３ａには、センター飾り２３の左中央部に風車３１が配設されており、ステージＳの下方における第１及び第２始動チャッカー２７，２８の左右には、普通図柄作動ゲート（スルーゲート）３２が配設されている。この普通図柄作動ゲート３２は、第２始動チャッカー２８を開閉動作させるための抽選の契機となる遊技球通過が行われる役物である。
【００２５】
そして、遊技領域３ａにおける普通図柄作動ゲート３２、一般入賞口２５ａ，２５ｂ，２５ｃ、第１及び第２始動チャッカー２７，２８等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７の周囲及びその上方側にも、遊技球を適宜散らし、或いは入球に導くようにするための多数の障害釘が打ち込まれている。このような本パチンコ機１では、遊技領域３ａに打ち出された遊技球を第１及び第２始動チャッカー２７，２８等に、ステージＳを介して入球させ又はステージＳを介さず直接入球させ得るように遊技が進められる。
【００２６】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１及び第２始動チャッカー２７，２８方向に導く役割を担っている。
【００２７】
次に、本パチンコ機１におけるセンター飾り２３の構造を、図２ないし図４を参照して詳細に説明する。なお、図２はセンター飾り２３を右側から見下ろした状態で示す斜視図、図３はセンター飾り２３を上側から見下ろした状態で示す斜視図、図４はセンター飾り２３を示す正面図である。
【００２８】
図２に示すように、センター飾り２３は、遊技盤３に形成された開口（図示せず）を前後から挟んだ状態で、該遊技盤３の表面と裏面とにそれぞれネジ止めされた前枠体２３ａ及び後枠体２３ｂを有している。これら両枠体２３ａ，２３ｂは、遊技盤３を挟んで結合された状態で開口部４４を形成する。前枠体２３ａの周囲には、外方に張り出すようにブラケット部６８が形成されている。
【００２９】
センター飾り２３は、図２ないし図４に示すように、開口部４４の左方を向くワープ導入口３７と、開口部４４の上側に配置された演出装置３３と、開口部４４の下側に設けられたステージＳと、下部中央に設けられた球放出部２４と、開口部４４の右側下部に配置された照明役物２６と、を有している。該照明役物２６は、導火線状の発光部２６ａを上部に有する丸い爆弾型の役物であり、爆発状態を表現する発光部２９を下部に有している。なお、各図において、演出装置３３は被覆部５４を開放した状態で描かれているが、これはリーチ演出時等に開放した場合であって、通常遊技時には閉止した状態となっている。
【００３０】
また、センター飾り２３は、開口部４４の左側に位置するワープ導入口３７から導入される遊技球をステージＳに放出する遊技球放出口３４を有している。該ステージＳは、遊技球放出口３４から放出された遊技球を転動させる転動路３９と、該転動路３９の延長線上に形成された凹部６０及び該凹部６０の左右に形成された凹部６１，６２と、凹部６１，６２からそれぞれ流下した遊技球を受けて更に下側に流下させる凹部７２，７３と、を有している。ステージＳは更に、トンネル状の外壁を有する球放出部２４の左右にそれぞれ形成された凹部７５，７６を有しており、該凹部７５の左方に、ステージＳにイレギュラーで跳び込んだ遊技球を凹部７５側に導く案内路６５を有している。
【００３１】
ステージＳの後側には、画像表示装置３５の画面３５ａとの間に一定の距離をあけるための壁部５０が形成され、ステージＳの右端部には、遊技球放出口３４から放出されて転動路３９、凹部６１，６０，６２を通過した遊技球を反対側に折り返させるための傾斜壁部６３が形成されている。また、該傾斜壁部６３の手前側（図２の略左側）には、ステージＳにイレギュラーで跳び込むなどした遊技球を、ステージＳ右下部の照明役物２６側に跳び込ませないようにするための傾斜壁部６４が形成されている。
【００３２】
凹部７２，７３の中間部分には、球放出部２４に連通する遊技球落下孔６９が形成されており、該遊技球落下孔６９の手前側には、ステージＳ下方の遊技領域３ａに配列された道釘等に当たって跳ね上がった遊技球の進入を可能な限り抑止するための壁部６７が形成されている。球放出部２４は、第１始動チャッカー２７の直上方に位置し、放出されて落下する遊技球が一対の障害釘３０の間を通って第１始動チャッカー２７にほぼ確実に（つまり、９７〜９９％の高確率で）入賞し得るように位置決め形成されている。
【００３３】
凹部６０は、遊技球落下孔６９の上側に位置するように、かつ該落下孔６９側にやや下降するように傾斜して形成されている。凹部６１は、凹部７２の上側に位置するように、かつ該凹部７２側にやや下降するように傾斜して形成され、また凹部６２は、凹部７３の上側に位置するように、かつ該凹部７３側にやや下降するように傾斜して形成されている。凹部７２は、凹部７５の斜め上方に位置するように、かつ該凹部７５側にやや下降するように傾斜して形成され、また凹部７３は、凹部７６の斜め上方に位置するように、かつ該凹部７６側にやや下降するように傾斜して形成されている。凹部７５，７６は、凹部７２，７３側から流下してきた遊技球や、案内路６５から流下してきた遊技球を、ステージＳ下方における第１始動チャッカー２７とはやや異なる方向に落下させるように傾斜している。なお、符号６６は、案内路６５を流下する遊技球を凹部７５，７６に案内するための壁部であり、該壁部６６の凹部７５，７６にそれぞれ対向する部位は、遊技球を凹部７５，７６からステージＳ下方に落下させ得るように切り欠かれている。
【００３４】
センター飾り２３の右側部には、照明役物２６から演出装置３３に向かうように、導火線状の発光部３６ａ，３６ｂが順次配置されており、導火線状の発光部２６ａが発光した際に、これら発光部３６ａ，３６ｂが順次発光した後に演出装置３３が発光することで、爆弾の爆発光景をリアルに表現できるように構成されている。この爆発光景にタイミングを合わせて、放音装置１２が爆発音等の効果音を発生する。
【００３５】
次いで、本発明の特徴である演出装置３３の構成について、図５ないし図１８を参照して詳細に説明する。
【００３６】
すなわち、演出装置３３は、図５ないし図１８に示すように、センター飾り２３の前側を向くレンズ部材５５、反射部材５６、及びＬＥＤ１０３からなる発光部（装飾演出部）１２５と、該発光部の前側にて開閉自在に配置されその閉止状態で略半球形状をなす被覆部５４と、支持部７４Ａ，７４Ｂに支持された被覆部５４を移動動作させる駆動モータ９９をはじめとする駆動部と、を有している。該駆動部は、駆動モータ９９と、該駆動モータ９９の上方に延在する第１駆動軸９３及び該駆動モータ９９の下方に延在する第２駆動軸９７とからなり、且つ該両駆動軸９３，９７をそれぞれ回転させることで被覆部５４を回動動作させる。また、上記支持部７４Ａは、第１駆動軸９３及び支持板１０６（図１０参照）からなり、上記支持部７４Ｂは、第２駆動軸９７及び支持板１１９（図１０参照）からなる。
【００３７】
演出装置３３は、上部と下部にカバー７９，９５を有しており、被覆部５４は、該カバー７９，９５内にそれぞれ備えた支持板１０６，１１９（図１０参照）によって支持される。該被覆部５４は、閉止時にはレンズ部材５５の前面を半球状に覆い、当該半球形状を複数の経線Ｌ（図５の上下方向の線）に沿って複数に分離切断した湾曲状の羽根部材５４ａ〜５４ｆから構成される。当該被覆部５４は、上記発光部の左右方向にて互に逆方向に回動するように支持部７４Ａ，７４Ｂに支持された３つずつの第１群及び第２群からなる湾曲状の羽根部材５４ａ〜５４ｃ、５４ｄ〜５４ｆを有する。
【００３８】
演出装置３３は、円板状の照明基板１０１が装着される本体部と、その前方に配置される反射部材５６と、該反射部材５６の前方に位置して矢印ｂ（図７参照）で示すように反射部材５６の後方側から嵌合されてネジ止めされて反射部材５６の中央部分に固定される透明状のレンズ部材５５と、を有している。
【００３９】
反射部材５６はプラスチックに銀メッキ（蒸着等を含む）したメタル状に形成され、レンズ部材５５は放射状の多数の凹部を有してなり、これら反射部材５６及びレンズ部材５５は、爆弾が爆発する際に光放射する状態を表現するように構成されている。反射部材５６は、矢印ｂ方向に嵌合されるレンズ部材５５のネジ孔５５ａを重ねた状態で不図示のネジを螺入された際に該レンズ部材５５を固定するための孔５６ｂ，５６ｂを有している。なお、図７中の符号１０２はフォトインタラプタ１０７，１０８（例えば図１３（ａ）参照）を実装する基板であり、符号５６ａは反射部材５６の中央部分に貫通形成されたレンズ部材５５を嵌合するための開口部である。
【００４０】
なお、本実施形態における上記「透明状」という語句は、光透過性が極めて高い無色透明のみを意味するのではなく、光透過性があまり高くない半透明、或いは、着色された透明や半透明をも含む概念である。また、本実施形態における「前側」や「手前側」という語句は、パチンコ機１と対座する遊技者側を意味する概念である。
【００４１】
被覆部５４は、羽根部材５４ａ〜５４ｆが、演出装置３３の上下方向に延びる軸線ａ（図５（ｂ）参照）の上部と下部に位置する支持部７４Ａ，７４Ｂにそれぞれ支持される。軸線ａの上部側には、駆動モータ９９の駆動時の回転を羽根部材５４ｄ，５４ｅ，５４ｆに与える駆動軸９３の端部９３ｂが突出し、軸線ａの下部側には、駆動モータ９９の回転を羽根部材５４ａ，５４ｂ，５４ｃに与える駆動軸９７の端部９７ｂが突出している。なお、図５中の符号９６は、駆動モータ９９に電源を供給する不図示のハーネス（電気的接続ケーブル）を接続するためのコネクタ、符号１００は、演出装置３３をセンター飾り２３側に固定するためのアーム部、符号７９ａは、カバー７９に形成された溝部である。
【００４２】
支持部７４Ａは、上記発光部の上側にて第１群の羽根部材５４ａ〜５４ｃの一端部４８ａ〜４８ｃを第１駆動軸９３に対する自由状態で支持し、且つ第２群の羽根部材５４ｄ〜５４ｆの他端部５９ｄ〜５９ｆを第１駆動軸９３から回転を受け得るように支持している。また、支持部７４Ｂは、上記発光部の下側にて第１群の羽根部材５４ａ〜５４ｃの他端部４９ａ〜４９ｃを第２駆動軸９７から回転を受け得るように支持し、且つ第２群の羽根部材５４ｄ〜５４ｆの一端部５８ｄ〜５８ｆを第２駆動軸９７に対する自由状態で支持している。そして、支持部７４Ａは、支持部７４Ｂよりセンター飾り２３の前側に突出するように位置決めされており、第１群及び第２群の羽根部材５４ａ〜５４ｃ、５４ｄ〜５４ｆが、センター飾り２３の前後方向において前側に傾斜するように支持されている。
【００４３】
支持部７４Ａ，７４Ｂでは、それぞれ、円弧溝１０６ｂ，１１９ｂを有する円板部材１０６，１１９が第１及び第２駆動軸９３，９７の各端部９３ｂ、９７ｂに固定されている。支持部７４Ａ，７４Ｂでは、第１群の羽根部材５４ａ〜５４ｃの一端部４８ａ〜４８ｃが、円板部材１０６の円弧溝１０６ｂにフレキシブルに挿入され、第２群の羽根部材５４ｄ〜５４ｆの一端部５８ｄ〜５８ｆが、円板部材１１９の円弧溝１１９ｂにフレキシブルに挿入されている。これにより、第１群の羽根部材５４ａ〜５４ｃは、支持部７４Ａにて、一端部４８ａ〜４８ｃの側で円弧溝１０６ｂに沿って互いに相対移動可能な状態に支持される。また、第２群の羽根部材５４ｄ〜５４ｆは、支持部７４Ｂにて、一端部５８ｄ〜５８ｆの側で円弧溝１１９ｂに沿って互いに相対移動可能な状態に支持される。ここで、円弧溝１０６ｂは、第１群の羽根部材５４ａ〜５４ｃを、円弧溝１１９ｂは、第２群の羽根部材５４ｄ〜５４ｆを、それぞれ被覆部５４の開閉方向に案内する溝を為している。
【００４４】
上記した、一端部４８ａ〜４８ｃ及び一端部５８ｄ〜５８ｆは、それぞれの先端が円柱状に形成されているので、該先端が円弧溝１０６ｂ，１１９ｂ内を摺動移動する際に羽根部材５４ａ〜５４ｆが動作時に斜めになったとしても、円柱状の先端が円弧溝１０６ｂ，１１９ｂから外れるような不都合の発生は可及的に防止される。また、第１及び第２駆動軸９３，９７の特定部位には、軸受けとしてのカラー１１１，９８，１１５，１１７，１１８が固定されており、これらカラーを、第１及び第２駆動軸９３，９７の周囲に配置した円筒支持壁１２１，１２２等との間に嵌め込むことで、第１及び第２駆動軸９３，９７回転時のガタの原因となるクリアランスが可及的に無くされている。なお、図１０中の符号１１２は、円筒支持壁１２１，１２２を連結し、かつ第１及び第２傘歯車１０４，１０５を回転自在に収容するハウジング部を示している。また、符号１１６は、ハウジング部１１２内において対向する傘歯車１０４，１０５の間に介在される支持部である。
【００４５】
上記駆動部は、第１及び第２駆動軸９３，９７、第１及び第２傘歯車１０４，１０５、第３傘歯車１１３、及び駆動モータ９９から構成されるもので、第１群の羽根部材５４ａ〜５４ｃと第２群の羽根部材５４ｄ〜５４ｆとのそれぞれにおける特定の羽根部材５４ｃ，５４ｆに第１及び第２駆動軸９３，９７から回転を与えることで第１群及び第２群の羽根部材５４ａ〜５４ｃ、５４ｄ〜５４ｆを個別に回動動作させる。これら特定の羽根部材５４ｃ，５４ｆは、駆動部により動作される開閉方向の最も外側に位置するものである。
【００４６】
第１及び第２傘歯車１０４，１０５は、第１及び第２駆動軸９３，９７の対向する端部９３ｃ，９７ｃ同士にそれぞれ固定され、駆動モータ９９は、これら両傘歯車１０４，１０５に噛合する第３傘歯車１１３を回転軸９９ａに固定されている。上記のような駆動部は、駆動モータ９９の回転を第３傘歯車１１３、第１傘歯車１０４及び第２傘歯車１０５を介して受ける第１及び第２駆動軸９３，９７の回転で、第１群及び第２群における特定の羽根部材５４ｃ，５４ｆを個別に移動（回動）動作させる。つまり、傘歯車１１３の回転を、傘歯車１０４，１０５にそれぞれ逆方向回転として伝達することで第１及び第２群の羽根部材５４ａ〜５４ｃ、５４ｄ〜５４ｆを互いに逆方向に回動させる。
【００４７】
第１群の特定の羽根部材５４ｃの他端部４９ｃ及び第２群の特定の羽根部材５４ｆの他端部５９ｆは、それぞれ所定の方向に突出する係合凸部形状に構成されている。そして、第１群及び第２群における上記特定の羽根部材以外の羽根部材５４ａ，５４ｂ，５４ｄ，５４ｅは、第１及び第２駆動軸９３，９７の軸回りにおいて係合凸部形状の他端部４９ｃ，５９ｆから押圧力を受けるように構成されている。つまり、羽根部材５４ａ，５４ｂ，５４ｄ，５４ｅは、駆動軸９３，９７の端部９３ｂ，９７ｂにおいて該端部９３ｂ，９７ｂの周囲にて係合凸部形状の他端部４９ｃ，５９ｆと係合する係合凸部４９ａ，４９ｂ，５９ｄ，５９ｅを有している。そして、特定の羽根部材５４ｃ，５４ｆの回動移動時にその他端部４９ｃ，５９ｆが羽根部材５４ａ，５４ｂ，５４ｄ，５４ｅの係合凸部４９ａ，４９ｂ，５９ｄ，５９ｅを同方向に押圧することで、羽根部材５４ａ，５４ｂ，５４ｄ，５４ｅを羽根部材５４ｃ，５４ｆにそれぞれ従動（追従）させることができる。
【００４８】
ところで、上記した他端部５９ｆ、係合凸部５９ｄ、及び係合凸部５９ｅの各間は、図１８に示すような空隙Ｇを有するため、第２群の羽根部材５４ｄ〜５４ｆが駆動部により移動動作されるとその移動時に空隙Ｇ分の隙間を生じる。従って、第２群の羽根部材５４ｄ〜５４ｆにおける他端部５９ｆ及び係合凸部５９ｄ，５９ｅは、支持部７４Ｂにて、駆動部により移動動作される方向（つまり円弧溝１１９ｂが案内する方向）に隙間を生じ得るように係合されることで支持されている。なお、第１群の羽根部材５４ａ〜５４ｃにおける、他端部４９ｃ、係合凸部４９ａ、及び係合凸部４９ｂの各間にも上記した空隙Ｇと同様の空隙が配されているが、その図示は省略している。従って、第１群の羽根部材５４ａ〜５４ｃにおける他端部４９ｃ及び係合凸部４９ａ，４９ｂは、支持部７４Ａにて、駆動部により移動動作される方向（つまり円弧溝１０６ｂが案内する方向）に隙間を生じ得るように係合されることで支持されるものとなっている。
【００４９】
なお、図１０中の符号９３ａ，９７ａは、第１及び第２駆動軸９３，９７の端部９３ｂ，９７ｂにそれぞれ形成された、不図示のＣリングを嵌合するためのリング溝である。符号１０６ａは、第１駆動軸９３を嵌合させるために支持板１０６に形成された孔、符号１１９ａは、第２駆動軸９７を嵌合させるために支持板１１９に形成された孔である。また、図１４中の符号１１０は、フォトインタラプタ１０７，１０８における投光素子１０７ａ，１０８ａと受光素子１０７ｂ，１０８ｂの間で左右に回動して遮光したり開放したりする遮蔽部材であり、１１０ａは遮蔽部であり、符号８５は端子である。
【００５０】
ついで、本パチンコ機１の背面構造について図１９を参照して説明する。同図は、本パチンコ機１の背面構造を示す背面図である。
【００５１】
すなわち、図１９に示すように、パチンコ機１の前扉背面における上部左方には、賞球タンク４３が取り付けられており、この賞球タンク４３の下方に、副制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００５２】
次に、本実施形態におけるパチンコ機１の制御系を図２０に沿って説明する。なお、同図は本パチンコ機の制御系を示すブロック図である。
【００５３】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置８，１１、画像表示装置３５、及び演出装置３３と、を備えている。
【００５４】
遊技制御装置８０は、図１９に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００５５】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００５６】
入賞判定手段８１は、発射ハンドル２の操作で作動する発射装置（図示せず）によって遊技領域３ａに打ち出された遊技球が第１及び第２始動チャッカー２７，２８、一般入賞口２５ａ，２５ｂ，２６ａ，２６ｂ、アタッカー５等の何れかに入賞したとき、当該入賞があった旨を判定する。
【００５７】
入賞信号出力手段８２は、入賞判定手段８１によって入賞が判定されたとき、対応する第１及び第２始動チャッカー２７，２８、一般入賞口２５ａ，２５ｂ，２５ｃ、アタッカー５等に入賞した旨の入賞信号を出力する。
【００５８】
第１抽選手段８３及び第２抽選手段８４は、それぞれ、入賞信号出力手段８２からの第１及び第２始動チャッカー２７，２８に対応する入賞信号の入力時、合計の最大保留球数未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選（特別遊技状態の抽選）を実行する。
【００５９】
そして第１及び第２抽選手段８３，８４は、それぞれ、大当たり抽選で確変当たりに当選した場合、不図示の演出用メモリに格納された演出乱数値に基づく抽選で、変動の結果、確変当たりに対応する「１１１」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００６０】
また第１及び第２抽選手段８３，８４は、それぞれ、大当たり抽選で通常当たりが当選した場合に、演出乱数値に基づく抽選で、変動の結果、通常当たりに対応する「２２２」等の図柄が大当たり有効ライン上で最終的に揃う旨の変動パターンを決定し、その旨の変動パターン信号を出力する。更に第１及び第２抽選手段８３，８４は、それぞれ、大当たり抽選で外れた場合に、演出乱数値に基づく抽選で、変動の結果、外れに対応する「２５２」等の図柄が大当たり有効ライン上で最終的に揃う旨の変動パターンを決定し、その旨の変動パターン信号を出力する。
【００６１】
普通図柄抽選手段９４は、第２始動チャッカー２８を開閉動作させるための普通図柄抽選を、普通図柄作動ゲート３２への遊技球通過を契機として行う。
【００６２】
遊技制御手段８６は、放音装置１２、演出用照明装置８，１１、演出装置３３に放音、発光、駆動動作の演出をさせる契機となる指令を、演出制御手段９１に送る。また、遊技制御手段８６は、予め設定された演出データや、第１及び第２抽選手段８３，８４での抽選結果に応じて、画像表示装置３５に表示すべき大当たり抽選に関連する演出内容に関する信号を表示制御手段９２に送る。
【００６３】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、大当たり抽選保留表示装置（図示せず）に、始動チャッカー２７，２８双方での合計が例えば最大８個の保留球となるように点灯表示される。保留手段８７は、合計の保留球数が例えば８個になっているか否かを常時判定し、保留球数が８個表示されている間は、第１、第２始動チャッカー２７，２８への入賞に拘わらず大当たり抽選は行わない。なお、保留球として点灯表示される保留球数は上記「最大８個」に限定されるものではなく、設計により適宜変更され得るものである。
【００６４】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が例えば８個未満となった場合、第１、第２抽選手段８３，８４で行われる第１、第２始動チャッカー２７，２８への入賞に応答した大当たり抽選の結果を保留球として記憶し、保留球数を１インクリメントする。
【００６５】
作動制御手段８８は、作動決定手段９０の作動開始決定の旨の信号に基づき、始動チャッカー開閉ソレノイド７０に駆動信号を送って該ソレノイド７０を作動させ、第２始動チャッカー２８を開放又は閉塞動作させる。更に作動制御手段８８は、アタッカー開閉ソレノイド７１に駆動信号を送って該ソレノイド７１を作動させ、第１、第２抽選手段８３，８４での抽選による大当たり発生時にアタッカー５を開放して所定数入賞が終了する（又は所定時間が経過する）毎に閉塞する動作を所定回数（所定ラウンド）だけ繰り返すように制御する。
【００６６】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、第２始動チャッカー２８の開閉の「条件を満たす」時とは、普通図柄抽選手段９４において第１及び第２抽選手段８３，８４の大当たり抽選とは別途行われる普通図柄抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時の全てのラウンドにおける入賞を完了した場合である。
【００６７】
作動決定手段９０は、作動判定手段８９からの判定信号を受けて、始動チャッカー開閉ソレノイド７０、アタッカー開閉ソレノイド７１の作動開始をそれぞれに決定する。
【００６８】
演出制御手段９１は、遊技制御手段８６からの指令に応答して、放音装置１２を放音駆動し、演出用照明装置８，１１を発光駆動し、演出装置３３を発光及び／又は動作させるように駆動し、遊技者の聴覚や視覚に訴える演出を行う。
【００６９】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、画像表示装置３５の画面３５ａに時系列的に表示する。
【００７０】
また、始動チャッカー開閉ソレノイド７０は、作動制御手段８８から送信された駆動信号に応答してプランジャ（図示せず）を進退動作させて、第２始動チャッカー２８を開閉動作させる。アタッカー開閉ソレノイド７１は、作動制御手段８８から送信された駆動信号に応答してプランジャ（図示せず）を進退動作させて、アタッカー５を開閉動作させる。
【００７１】
放音装置１２は、演出制御手段９１の制御に従ってスピーカー（図示せず）を駆動させ、演出に応じた効果音を発する。演出用照明装置８，１１は、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００７２】
演出装置３３は、ＬＥＤ１０３と駆動モータ９９とを有しており、遊技制御手段８６の指令に基づく演出制御手段９１の制御に従って、ＬＥＤ１０３を発光駆動し、駆動モータ９９を回転駆動して被覆部５４を開閉動作させる。
【００７３】
次に、本パチンコ機１による作用について、図２１のフローチャートを併せて参照しつつ説明する。
【００７４】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や一般入賞口２５ａ，２５ｂ，２５ｃに適時入賞し、或いは、これらに関与せずに転動落下して、遊技領域３ａ最下部のアウト口（図示せず）から遊技盤３背面側に排出される。
【００７５】
遊技領域３ａに打ち出された遊技球の一部がワープ導入口３７に入球すると、その遊技球は、遊技球放出口３４からステージＳに放出される。この際、ステージＳに放出された遊技球は、転動路３９から凹部６１，６０，６２を通過し、傾斜壁部６３側で一旦折り返して凹部６０側に戻り、或るものは転動の勢いが弱まった時点で凹部６１や凹部６２から凹部７２や凹部７３側に流下し、また或るものは凹部６０に案内されて下方の遊技球落下孔６９に向けて落下し、球放出部２４から下方の第１始動チャッカー２７に向けて落下し、高い入賞確率（略１００％）で第１始動チャッカー２７に入賞する。
【００７６】
球放出部２４から放出された遊技球は、上述のように高確率で第１始動チャッカー２７に入賞することになるが、障害釘３０への当接状況によっては入賞できないこともある。一方、球放出部２４に導入されない遊技球の多くは、ステージＳ下方に放出されて第１始動チャッカー２７とは異なる方向に落下するが、場合によっては、第１始動チャッカー２７と異なる方向に落下しながらも、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞することもある。
【００７７】
ところで、第１及び第２始動チャッカー２７，２８や一般入賞口２５ａ，２５ｂ，２５ｃの何れかに遊技球が入賞した場合には、入賞判定手段８１が当該入賞を判定し、且つ入賞信号出力手段８２が入賞信号を出力する（ステップＳ２）。
【００７８】
そして、大当たり抽選で当選した場合（ステップＳ３）、第１、第２抽選手段８３，８４のうち該当する側が当たりフラグをオンすると、演出用メモリに格納された演出乱数値に基づく抽選で、大当たりの種別、つまり確変当たり又は通常当たりに対応する変動パターンが決定される。
【００７９】
ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００８０】
以上のようにして、遊技制御手段８６が、画像表示装置３５の画面３５ａに表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。この際、遊技制御手段８６から指令が出ていれば、演出制御手段９１は、画面３５ａ上の演出に合わせて、放音装置１２を放音駆動し、演出用照明装置８，１１を発光駆動し、或いは、演出装置３３を発光等するように駆動して、演出を盛り上げるように作動制御する。
【００８１】
ここで、上記演出装置３３の演出動作について詳細に説明する。画像表示装置３５による大当たり抽選結果の演出表示のうち、例えば、リーチ状態は、３つの装飾図柄が並ぶように設定されている１つの大当たり有効ライン（図示せず）に沿って同じ数字が付された２つの装飾図柄が並び、あと１つの同じ装飾図柄が当該大当たり有効ライン上に揃うと大当たりが発生（実際には、既に第１抽選手段８３又は第２抽選手段８４で決定されている大当たりが現出）するものである。
【００８２】
上記した場合、大当たり有効ライン上の残されたあと１つの位置を、他の数字の装飾図柄とともに同じ数字の装飾図柄が通過していくが、決定されている大当たり抽選結果に従い表示制御手段９２の制御により演出が発展すると、画面３５ａにおける導火線状の発光部２６ａと重なる位置に炎が液晶表示され、このことを契機として、発光部２６ａが発光し、あたかも爆弾状の照明役物２６の導火線に火がついたように演出される。
【００８３】
この状態から、更に発光部３６ａ、発光部３６ｂが順次発光すると、導火線状の発光部２６ａの点火によって発光部３６ａ，３６ｂが順に発火していく様子が表現される。この時点で演出が終了すれば、あと１つの装飾図柄が大当たり有効ライン上に揃うことはなく、大当たりは発生しないが、発光部３６ｂから飛び火した形で演出装置３３が作動し始めて演出が更に発展した際には、既に発生しているリーチがスーパーリーチとなり、演出が派手なものとなることで大当たり発生への期待感が高まるものとなる。
【００８４】
演出装置３３は、図１ないし図４等においては被覆部５４が開放した状態で描かれているが、実際、通常遊技時においては、被覆部５４が閉じてレンズ部材５５及び反射部材５６を覆って、遊技者が視認し得ない閉止状態となっている。
【００８５】
このような閉止状態にある演出装置３３は、羽根部材５４ａ〜５４ｆの全てが前側に回動して内部が見えない状態から、遊技制御手段８６の指令に基づく演出制御手段９１の制御でＬＥＤ１０３が発光すると共に、当該演出制御手段９１の制御で駆動モータ９９が正逆方向に小刻みに振動するように回転駆動する。すると、羽根部材５４ａ，５４ｂ，５４ｃ，５４ｄ，５４ｅ，５４ｆの小刻みな振動により、発光部１２５からの光が、各経線Ｌに沿った各羽根部材間の隙間から漏れ出し、あたかも爆弾が爆発する瞬間を表現するような演出を遊技者に提供できるものとなる。
【００８６】
上述した段階で終了する演出では、あと１つの装飾図柄が大当たり有効ライン上に揃うことはなく、大当たりは発生しない。しかし、光が各羽根部材間の隙間から漏れ出す上記状態から、第１群の羽根部材５４ａ〜５４ｃと第２群の羽根部材５４ｄ〜５４ｆとが左右に大きく開放されてレンズ部材５５が露出すると、一層期待感の高まるスーパーリーチへと発展する。
【００８７】
第１群の羽根部材５４ａ〜５４ｃと第２群の羽根部材５４ｄ〜５４ｆとが左右に大きく開放される際には、例えば図１１を参照すると理解できるように、駆動モータ９９が反時計回り方向に回転することとなる。このとき、該回転が、傘歯車１０４には時計回り方向の回転として伝達され、かつ傘歯車１０５には反時計回り方向の回転として伝達される。
【００８８】
これにより、例えば、第１群の羽根部材５４ａ，５４ｂ，５４ｃ側においては、図１０及び図１４を参照すると理解できるように、傘歯車１０５を介して反時計回り方向に回転する第２駆動軸９７に固定された羽根部材５４ｃが反射部材５６の前側の位置から、後方（図１の正面視奥側）に向かって回動する。なお、第２群の羽根部材５４ｄ，５４ｅ，５４ｆ側では、上述した第１群の羽根部材５４ａ，５４ｂ，５４ｃ側の動作とは逆の関係で同様に進展することになるため、以下でその説明は省略する。
【００８９】
羽根部材５４ｃが反射部材５６の前側の位置から後方に向かって回動すると、羽根部材５４ｃの他端部４９ｃは、隣り合う羽根部材５４ｂを他端部４９ｂと係合することで同方向に押圧して移動させ、更に、該羽根部材５４ｂの他端部４９ｂは、隣り合う羽根部材５４ａを他端部４９ａと係合することで同方向に押圧して移動させるものとなる。
【００９０】
また、上記した際、第１群の羽根部材５４ａ，５４ｂ，５４ｃの一端部４８ａ，４８ｂ，４８ｃは、円板部材１０６の円弧溝１０６ｂ内に余裕をもって嵌挿されており、羽根部材５４ａ，５４ｂ，５４ｃは互いに相対移動可能なようにフレキシブルに支持されている。これにより、羽根部材５４ｃが反射部材５６の前側の位置から後方に向かって回動する際には、瞬間的に第１群の羽根部材５４ａ，５４ｂ，５４ｃの各間に空隙Ｇを越える隙間を生じるので、各羽根部材の間から発光部１２５の光が大きく漏れ、爆弾が爆発する寸前の爆弾に亀裂が生じたような状態の演出表示を遊技者に提供し得るものとなる。
【００９１】
そして、羽根部材５４ｃは、反射部材５６の後方に向けて所定のステップ値（パルス数分）だけ移動されると、演出制御手段９１により駆動モータ９９が停止制御されることで所定の停止位置で静止する。このとき、羽根部材５４ａ，５４ｂは、羽根部材５４ｃの後方、少なくとも空隙Ｇの距離だけ離れた状態から従動されてくるが、停止した羽根部材５４ｃに対して当接することによってその勢いが殺され、羽根部材５４ｃ及び羽根部材５４ａ，５４ｂ全体の停止位置が堅持されることとなる。従って、第１群の羽根部材５４ａ〜５４ｃが、反射部材５６の背面側に配設された部材、例えば、駆動モータ９９の上方で第１駆動軸９３の背後に位置する基板１０２等に対し、勢い余って衝突することを防止することができるようになる。
【００９２】
このように、第１群の羽根部材５４ａ〜５４ｃ及び第２群の羽根部材５４ｄ〜５４ｆが、反射部材５６の後方に移動すると、被覆部５４全体が開状態となることから、発光部１２５からの光が遊技中の遊技者に向けて多量に発せられる。これにより、爆弾の爆発によって光を発しているような演出表示を遊技者が視認できることとなり、この爆発で象徴されるエネルギーによって遊技者はかなりの高確率で大当たり当選できることを期待しつつ遊技を進めることができるものとなる。
【００９３】
そして、例えば、大当たり有効ラインに残り１つの装飾図柄が揃い、画面３５ａ上に大当たり決定の抽選結果が表れた場合、作動制御手段８８は、作動決定手段９０の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００９４】
なお、本実施の形態では、被覆部５４が開放状態にある場合と閉止状態にある場合との２状態のみで説明したが、その中間位置、つまり被覆部５４の開き具合の度合いを変化させることで遊技者に与える期待感に段階を付与するなどしてよいのは勿論である。
【００９５】
以上説明したように本実施の形態では、パチンコ機１が備える演出装置３３は、駆動モータ９９をはじめとした駆動部により、羽根部材５４ａ〜５４ｃ及び羽根部材５４ｄ〜５４ｆにおける開閉方向の最も外側に位置したそれぞれの羽根部材５４ｃ，５４ｆを移動駆動することにより、羽根部材５４ａ〜５４ｃ及び羽根部材５４ｄ〜５４ｆをそれぞれ、閉止する際には一体となった状態で移動し、開放する際には上記各羽根部材の間に隙間が生じ得るように移動してなる。ここで、仮に、本実施の形態の構成とは逆に、羽根部材５４ａ〜５４ｃ、５４ｄ〜５４ｆの開閉方向の最も内側に位置するそれぞれの羽根部材５４ａ，５４ｄを駆動部によって移動させる場合を考える。該駆動部が、上記羽根部材５４ａ〜５４ｃ、５４ｄ〜５４ｆを移動して開放状態となる位置に停止させると、瞬間的に各羽根部材間に隙間が生じ、該各羽根部材の間がそれぞれ慣性（惰性）方向に伸びることとなる。このとき、これら羽根部材５４ａ〜５４ｃ、５４ｄ〜５４ｆが伸びた方向、つまり慣性方向の先に、例えば、他の演出に係る基板や駆動部等の各種部材が配置されていたとすると、上記伸びた最後部に位置する羽根部材５４ｃ，５４ｆと上記各種部材とが当接し、互いの磨耗や損傷などを引き起こす要因となる。これに対して、本実施の形態の構成にあっては、羽根部材５４ａ〜５４ｃ、５４ｄ〜５４ｆの、開閉方向の最も外側に位置するそれぞれの羽根部材５４ｃ，５４ｆを駆動部によって移動させる。これにより、羽根部材５４ａ〜５４ｃ及び羽根部材５４ｄ〜５４ｆがそれぞれ開放された位置で停止されても、最も外側に位置する羽根部材５４ｃ，５４ｆが従動された他の羽根部材５４ａ，５４ｂ，５４ｄ，５４ｅと当接することによって慣性方向に移動しようとする力を抑え、停止位置が正確に位置決めされるようになる。
【００９６】
なお、上記した羽根部材５４ａ〜５４ｃ、５４ｄ〜５４ｆが、プラスチック等の柔軟な材質で形成されている場合には、各羽根部材自身に撓みが生じ易くなり、開閉移動した際の上記羽根部材５４ａ〜５４ｃ及び羽根部材５４ｄ〜５４ｆのそれぞれの移動方向への伸縮度合いは更に大きなものになることから、このような条件の場合において本発明はより一層有効に機能するものとなる。
【００９７】
また、羽根部材５４ａ〜５４ｃ、５４ｄ〜５４ｆは、駆動部により開閉移動される際、各羽根部材間に隙間を生じ得るので、遊技者に対して羽根部材５４ａ〜５４ｃ、５４ｄ〜５４ｆの後側に配置された発光部１２５を微かに視認させてその気配を感じさせるなどの、微妙な演出を施すことができるようになる。
【００９８】
また、被覆部５４は、羽根部材５４ａ〜５４ｃ、５４ｄ〜５４ｆに分かれており、更に各羽根部材間には隙間（例えば隙間Ｇ）を生じ得るような構成となっていることから、羽根部材５４ａ〜５４ｃ、５４ｄ〜５４ｆが閉止される際の動作に伴って互いに当接した場合にあっても、該当接に起因する応力が分散され易くなり、その衝撃が和らげられる。
【００９９】
また、発光部１２５が、前面側に半球形状のレンズ部材５５を有し、該レンズ部材５５を通してセンター飾り２３の前側に向けて光を発し、羽根部材５４ａ〜５４ｃ、５４ｄ〜５４ｆが、それぞれ発光部１２５のレンズ部材を覆う湾曲状に形成され、且つ駆動部によって該レンズ部材５５の表面に沿うように移動されてなるので、発光部１２５からの光を、羽根部材５４ａ〜５４ｃ、５４ｄ〜５４ｆの間から見え隠れさせるような発光演出を遊技者に提供することができるものとなる。
【０１００】
また、羽根部材５４ａ〜５４ｃ、５４ｄ〜５４ｆが、レンズ部材５５の表面に沿うような曲線状に移動動作する態様であっても、該羽根部材５４ａ〜５４ｃ、５４ｄ〜５４ｆが開放された位置にて停止された際に、最も外側に位置する羽根部材５４ｃ，５４ｆが従動された他の羽根部材５４ａ，５４ｂ，５４ｄ，５４ｅと当接することにより、該他の羽根部材が慣性方向に移動しようとする力が抑えられ、停止位置が正確に位置決めされるものとなる。従って、発光部１２５の背後、つまり羽根部材５４ａ〜５４ｃ、５４ｄ〜５４ｆの移動経路の延長上に、例えば通電用の基板が配設されたような構造であっても、それら羽根部材５４ａ〜５４ｃ、５４ｄ〜５４ｆがそれぞれ開放された位置に移動した際に、各羽根部材の間が伸びて上記基板に接触したりすることを防ぐことができる。
【０１０１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【０１０２】
【図１】本発明の実施形態におけるパチンコ機の外部構造を示す正面図である。
【図２】遊技盤から取り外したセンター飾りを右側から見下ろした状態で示す斜視図である。
【図３】センター飾りを上側から見下ろした状態で示す斜視図である。
【図４】センター飾りを示す正面図である。
【図５】センター飾りから取り外した演出装置を示す図であり、（ａ）は右側から見下ろした状態で示す斜視図、（ｂ）は右側から見た状態で示す側面図である。
【図６】演出装置を示す図であり、（ａ）は正面図、（ｂ）は平面図である。
【図７】演出装置を分解した状態で示す斜視図である。
【図８】演出装置を分解して別の角度から見た状態で示す斜視図である。
【図９】演出装置を分解して上側から見た状態で示す平面図である。
【図１０】演出装置をそのレンズ部材及び反射部材を外した状態で示す斜視図である。
【図１１】演出装置を縦方向に切断した状態で示す斜視図である。
【図１２】演出装置を示す図であり、（ａ）は斜め後方から見下ろした状態で示す斜視図、（ｂ）は斜め後方から見上げた状態で示す斜視図である。
【図１３】図１２の演出装置から第２群の羽根部材を取り外した状態で示す図であり、（ａ）は斜め後方から見下ろした状態で示す斜視図、（ｂ）は斜め後方から見上げた状態で示す斜視図である。
【図１４】演出装置の駆動系の部位を中心に描いた斜視図である。
【図１５】図１４に示した駆動系の部位を正面から見た状態で示す正面図である。
【図１６】演出装置の駆動系の部位における傘歯車の噛合状態等を分かり易くなるように描いた図であり、（ａ）は斜め前方から見下ろした状態で示す斜視図、（ｂ）は上側から見た状態で示す平面図である。
【図１７】図１６に示した駆動系の部位を別の角度から見た図であり、（ａ）は左側から見た状態で示す側面図、（ｂ）は正面図である。
【図１８】複数の羽根部材の上部側の係合状態等を分かり易くなるように描いた平面図である。
【図１９】本実施形態のパチンコ機の背面構造を示す背面図である。
【図２０】本パチンコ機の制御系を示すブロック図である。
【図２１】本パチンコ機による作用を説明するためのフローチャートである。
【符号の説明】
【０１０３】
１    遊技機（パチンコ機）
３ａ    遊技領域
２３    センター役物（センター飾り）
３３    演出装置
５４    被覆部
５４ａ〜５４ｃ、５４ｄ〜５４ｆ    羽根部材
５５    レンズ部材
９３    駆動部（第１駆動軸）
９７    駆動部（第２駆動軸）
９９    駆動部（駆動モータ）
１２５  装飾演出部、発光部（装飾演出部）
Ｇ    隙間
【図１】
2008228910.tif 000003
【図２】
2008228910.tif 000004
【図３】
2008228910.tif 000005
【図４】
2008228910.tif 000006
【図５】
2008228910.tif 000007
【図６】
2008228910.tif 000008
【図７】
2008228910.tif 000009
【図８】
2008228910.tif 000010
【図９】
2008228910.tif 000011
【図１０】
2008228910.tif 000012
【図１１】
2008228910.tif 000013
【図１２】
2008228910.tif 000014
【図１３】
2008228910.tif 000015
【図１４】
2008228910.tif 000016
【図１５】
2008228910.tif 000017
【図１６】
2008228910.tif 000018
【図１７】
2008228910.tif 000019
【図１８】
2008228910.tif 000020
【図１９】
2008228910.tif 000021
【図２０】
2008228910.tif 000022
【図２１】
2008228910.tif 000023